(57)【要約】【課題】簡易かつ経済的な構成で溝蓋の開閉作業を軽くしかも安全に行うことができる開閉溝蓋構造を提供することを目的として提案する。【解決手段】溝蓋本体１１がコイルばね３０を装着した軸部１５によって枠体２０に対し開閉自在に構成された溝蓋１０であって、前記コイルばね３０は、コイル部３１が前記軸部１５に巻着され、一側の脚部３２が前記枠体２０に係着され、他側の脚部３３が前記溝蓋本体１１に係着されているとともに、該コイルばね３０の付勢力は前記溝蓋本体１１の荷重よりも小さく構成されていて、蓋開け時の荷重が低減されていることを特徴とする。【選択図】図３
0003105562.tif 000002
【実用新案登録請求の範囲】
【請求項１】
溝蓋本体（１１）がコイルばね（３０）を装着した軸部（１５）によって枠体（２０）に対し開閉自在に構成された溝蓋であって、
前記コイルばねは、コイル部（３１）が前記軸部に巻着され、一側の脚部（３２）が前記枠体に係着され、他側の脚部（３３）が前記溝蓋本体に係着されているとともに、該コイルばねの付勢力は前記溝蓋本体の荷重よりも小さく構成されていて、蓋開け時の荷重が低減されていることを特徴とする開閉溝蓋構造。
【請求項２】
前記コイルばねの溝蓋本体側の脚部の開き角度（ｄ）が、前記溝蓋本体の開放限度位置（ｓ）より大きく構成された請求項１に記載の開閉溝蓋構造。
【考案の詳細な説明】
【技術分野】
【０００１】
本考案は、溝蓋の開閉構造に関し、特には溝蓋本体がコイルばねを装着した軸部によって枠体に対し開閉自在に構成された開閉溝蓋構造に関する。
【背景技術】
【０００２】
側溝や暗渠等の水路上部に取り付けられる溝蓋は、水路の点検、清掃あるいは雪の多い地域では雪捨ておよび水流変更等のために、例えば、枠体に対し溝蓋本体が軸部を介して開閉自在に構成し、開閉作業を容易に行うことができるものが多用されている。この種溝蓋にあっては、強度及び耐久性の要請から重量のある金属製よりなるものが一般的であるため、溝蓋の開閉を行う際は、成人男子でも力を要して開閉が容易ではなく、危険を伴う作業となっていた。
【考案の開示】
【考案が解決しようとする課題】
【０００３】
そこで、この考案は、簡易かつ経済的な構成で溝蓋の開閉作業を軽くしかも安全に行うことができる開閉溝蓋構造を提供することを目的として提案するものである。
【課題を解決するための手段】
【０００４】
すなわち、請求項１の考案は、溝蓋本体（１１）がコイルばね（３０）を装着した軸部（１５）によって枠体（２０）に対し開閉自在に構成された溝蓋であって、前記コイルばねは、コイル部（３１）が前記軸部に巻着され、一側の脚部（３２）が前記枠体に係着され、他側の脚部（３３）が前記溝蓋本体に係着されているとともに、該コイルばねの付勢力は前記溝蓋本体の荷重よりも小さく構成されていて、蓋開け時の荷重が低減されていることを特徴とする開閉溝蓋構造に係る。
【０００５】
請求項２の考案は、前記コイルばねの溝蓋本体側の脚部の開き角度（ｄ）が、前記溝蓋本体の開放限度位置（ｓ）より大きく構成された請求項１に記載の開閉溝蓋構造に係る。
【考案の効果】
【０００６】
請求項１の考案によれば、溝蓋本体がコイルばねを装着した軸部によって枠体に対し開閉自在に構成された溝蓋であって、前記コイルばねは、コイル部が前記軸部に巻着され、一側の脚部が前記枠体に係着され、他側の脚部が前記溝蓋本体に係着されているとともに、該コイルばねの付勢力は前記溝蓋本体の荷重よりも小さく構成されていて、蓋開け時の荷重が低減されているため、極めて簡易かつ経済的な構成によって小さい力で容易に開閉作業を行うことができる。しかも、コイルばねの付勢力によって溝蓋本体が浮き上がるという問題もなく、安全である。
【０００７】
請求項２の考案によれば、請求項１において、前記コイルばねの溝蓋本体側の脚部の開き角度が、前記溝蓋本体の開放限度位置より大きく構成されていることによって、溝蓋本体に対して常にコイルばねの付勢力が働くため、開閉作業をより簡単に行うことが可能となり、さらに、蓋溝本体の開放時の姿勢維持も容易となって安全性がより向上する。
【考案を実施するための最良の形態】
【０００８】
以下添付の図面に従ってこの考案を詳細に説明する。
図１はこの考案の一実施例に係る開閉溝蓋構造の平面図、図２は図１の開閉溝蓋構造の閉状態の断面図、図３は図１の開閉溝蓋構造の開状態の断面図、図４はコイルばねの斜視図、図５はコイルばねの開脚状態を表した側面図である。
【０００９】
図１ないし図３に示すように、この考案の溝蓋１０は、溝蓋本体１１がコイルばね３０を装着した軸部１５によって枠体２０に対し開閉自在に構成されたものである。図において、符号１７はボルト等からなる軸部１５の軸固定部材、２１は枠体２０の側壁部である。
【００１０】
溝蓋本体１１は、該溝蓋本体１１の縦方向に複数並設された主部材１２と、該主部材１２に直交する補強部材（ツイストバー）１３とからなる格子状に構成される。実施例において、主部材１２は断面Ｉ字状のもので、補強部材１３はねじり鋼（ツイストバー）とよばれるものである。また、溝蓋本体１１の一側端部には軸部１５に対する軸受け部１４が設けられており、該軸部１５を介して回動し、溝蓋本体１１が開閉するように構成されている。
【００１１】
この溝蓋本体１１は、図３からよく理解されるように、該溝蓋本体１１が垂直位置より後方に傾倒した開放限度位置ｓまで開放可能とされている。実施例では、溝蓋本体１１の開放時に、該溝蓋本体１１の上面が枠体２０の側壁部２１に接触することによって、溝蓋本体１１の傾き具合が規定される。
【００１２】
コイルばね３０は、ＳＷＰＡ等の公知の鋼線よりなるねじりコイルばねであって、図４に示すように、コイル部３１と、脚部３２，３３からなる。該コイルばね３０は、コイル部３１が軸部１５に巻着され、一側の脚部３２が枠体２０に係着され、他側の脚部３３が溝蓋本体１１に係着される。実施例では、脚部３２は枠体２０の側壁部２１に溶接され、脚部３３は溝蓋本体１１のばね係着板１６に溶接されている。また、このコイルばね３０では、付勢力が溝蓋本体１１を開く方向に作用するように取付けられ、その付勢力が溝蓋本体１１の荷重よりも小さく構成されていて、蓋開け時の前記溝蓋本体１１の荷重が低減されるようになっている。
【００１３】
上記のように構成された開閉溝蓋構造にあっては、その構成が極めて簡易かつ経済的であるとともに、コイルばね３０の付勢力によって溝蓋本体１１の荷重が低減されるため、小さい力で容易に開閉作業を行うことが可能となる。加えて、コイルばね３０の付勢力が溝蓋本体１１の荷重よりも小さく構成されているため、溝蓋本体１１が浮き上がるという問題もなく、安全である。
【００１４】
実施例では、軸部１５にコイルばね３０を装着せずに溝蓋本体１１を開く場合に約７ｋｇの力を必要としたものが、この考案の開閉溝蓋構造としたことによって、約１ｋｇの力で溝蓋本体１１を開くことが可能となった。
【００１５】
また、この開閉溝蓋構造では、図５に図示しかつ請求項２の考案として規定したように、コイルばね３０の溝蓋本体１１側の脚部３３の開き角度ｄ（実施例では、脚部３３の通常位置３３Ａと閉状態位置３３Ｂとのなす角）が、溝蓋本体１１の開放限度位置ｓより大きく構成されていることが好ましい。これにより、溝蓋本体１１に対して常にコイルばね３０の付勢力が働くこととなり、開閉作業をより簡単に行うことができる。一方において、蓋溝本体１１が開放限度位置ｓにある場合にもコイルばね３０の付勢力が働いて開放状態の姿勢が維持されるので、点検や清掃等の作業中に開放した蓋溝本体１１が不意に閉じる危険がなくなって、安全に作業を行うことができる。
【図面の簡単な説明】
【００１６】
【図１】この考案の一実施例に係る開閉溝蓋構造の平面図である。
【図２】図１の開閉溝蓋構造の閉状態の断面図である。
【図３】図１の開閉溝蓋構造の開状態の断面図である。
【図４】コイルばねの斜視図である。
【図５】コイルばねの開脚状態を表した側面図である。
【符号の説明】
【００１７】
１０  溝蓋
１１  溝蓋本体
１２  主部材
１３  補強部材
１４  軸受け部
１５  軸部
１６  ばね係着板
１７  軸固定部材
２０  枠体
２１  側壁部
３０  コイルばね
３１  コイル部
３２，３３  脚部
ｄ  脚部の開き角度
ｓ  溝蓋本体の開放限度位置
【図１】
0003105562.tif 000003
【図２】
0003105562.tif 000004
【図３】
0003105562.tif 000005
【図４】
0003105562.tif 000006
【図５】
0003105562.tif 000007